(57)【要約】解放可能な閉鎖具は、複数の細長い消費可能な製品を収容するパッケージ・アセンブリの開閉を提供する。アセンブリは、製品を支持するためのパッケージ・ハウジングを含む。パッケージ・ハウジングは、ヒンジによって区分される第１の製品収容区画および第２の製品収容区画を含む。製品収容区画の各々は、ヒンジに隣接して開口端部を有する。製品収容区画は、ヒンジの周りに本のような様式で折り畳み可能である。解放可能な閉鎖具は、各区画に適用されて、ヒンジの周りに区画を閉鎖可能に折り畳むと、即座に、相互の係合のための整列された対面関係になるように配置される。【選択図】図１
2013544721.tif 000002
【特許請求の範囲】
【請求項１】
複数の細長い消費可能な製品を収容して、分配するためのパッケージ・アセンブリであって、
前記製品を支持するためのパッケージ・ハウジング、
前記パッケージ・ハウジングは、ヒンジによって区分される第１の製品収容区画および第２の製品収容区画を含み、
前記製品収容区画の各々は、前記ヒンジに隣接して開口端部を有し、前記製品収容区画は、前記ヒンジの周りに本のような様式で折り畳み可能であり、および
前記ヒンジの周りに前記区画を閉鎖可能に折り畳むと相互に係合するための対面関係に整列されるように各区画上に配置される解放可能な閉鎖具、を備え、
前記解放可能な閉鎖具は、クリップ、係合するフックとループのファスナ、磁気ファスナ、感圧ラベル、静電気付着フィルム、感圧接着剤、および組み合わされる機械的デバイス、からなる群から選択される、
パッケージ・アセンブリ。
【請求項２】
前記製品収容区画の各々は、前記開口端部によって定義される開放領域および閉鎖領域を含み、前記開放領域は、前記閉鎖領域よりも大きい、請求項１に記載のパッケージ・アセンブリ。
【請求項３】
前記閉鎖領域は、前面壁によって定義される、請求項２に記載のパッケージ・アセンブリ。
【請求項４】
前記前面壁は、前記解放可能な閉鎖具を含む、請求項３に記載のパッケージ・アセンブリ。
【請求項５】
前記クリップは、前記製品収容区画のうちの１つに接着剤で固定され、前記クリップは、ヒンジおよび、前記パッケージ・ハウジングの前記解放可能な閉鎖具を提供するための他の前記製品収容区画に着脱可能に取り付け可能な部分を有する、請求項１に記載のパッケージ・アセンブリ。
【請求項６】
前記係合するフックとループのファスナは、１つの前記区画上に配置される前記フックファスナ、および他の前記区画上に配置される前記ループファスナを含む、請求項４に記載のパッケージ・アセンブリ。
【請求項７】
前記磁気ファスナは、前記区画に別々に適用されて、相互に吸引可能である、請求項４に記載のパッケージ・アセンブリ。
【請求項８】
前記感圧ラベルは、前記区画に別々に適用される、請求項４に記載のパッケージ・アセンブリ。
【請求項９】
前記静電気付着フィルムは、前記区画に別々に適用される、請求項４に記載のパッケージ・アセンブリ。
【請求項１０】
前記感圧接着剤は、前記区画に別々に適用される、請求項４に記載のパッケージ・アセンブリ。
【請求項１１】
前記感圧接着剤は、前記区画の前記前面壁上の選択的な位置に別々に適用される、請求項１０に記載のパッケージ・アセンブリ。
【請求項１２】
前記組み合わされる機械的デバイスは、係合するジッパータイプのロックを含む、請求項４に記載のパッケージ・アセンブリ。
【請求項１３】
前記ジッパータイプのロックは、１つの前記区画上に適用される延在部材、および他の前記区画上に適用される組み合わされる受け入れ部材を含む、請求項１２に記載のパッケージ・アセンブリ。
【請求項１４】
前記組み合わされる機械的デバイスは、係合するラッチとレセプタクルを含み、前記ラッチは、１つの前記区画上に配置され、前記レセプタクルは、他の前記区画上に配置される、請求項４に記載のパッケージ・アセンブリ。
【請求項１５】
前記組み合わされる機械的デバイスは、少なくとも１つの係合するタブとレセプタクルを含み、前記タブは、１つの前記区画上に配置され、前記レセプタクルは、他の前記区画上に配置される、請求項４に記載のパッケージ・アセンブリ。
【発明の詳細な説明】
【技術分野】
【０００１】
［関連出願についてのクロス・リファレンス］
この出願は、２０１０年１０月２７日に出願の米国特許仮出願番号第６１／４０７，３８５号、２０１０年１０月２９日に出願の米国特許仮出願番号第６１／４０８，０９１号、および２０１０年１０月２９日に出願の米国特許仮出願番号第６１／４０８，１１２号、の優先権を主張し、その内容は、それらの全体を参照により本明細書に組み込まれる。
【０００２】
［技術分野］
本発明は、一般に、製品を収容して、分配するためのパッケージに関する。より詳しくは、本発明は、パッケージの区画の反復開閉ができるようにする解放可能な閉鎖具を有する二重区画パッケージに関する。
【背景技術】
【０００３】
さまざまな包装装置は、消費可能な製品を収容して、分配するために存在する。この種のパッケージは、そこに含まれる製品にアクセスするために反復開閉ができるように設計されてよい。１つのタイプの再開き可能なパッケージは、製品収容区画および折り畳み可能なフラップカバーを有するパッケージを含む。
【０００４】
棒状または厚板チューインガムを収容するためのこの種の１つのパッケージは、一般に割り当てられた特許文献１に示される。そのパッケージは、ヒンジによって区分される２つの区画を含み、２つの区画は、厚板チューインガムをそこから分配することのできる開放位置と閉鎖位置との間にパッケージを配置するために、互いに折り畳み可能に閉じられてよい。
【０００５】
折り畳まれたパッケージを閉鎖位置に維持するために、特許文献１に示されるパッケージは、２つの区画を通じて折り畳まれて、スロットの中へ押し込まれる折り畳み可能なフラップを含む。パッケージを開くために、フラップは、スロットから取り外されなければならず、パッケージ区画の開口を可能にするために、蝶番式に持ち上げられなければならない。
【０００６】
棒状または厚板チューインガムのためのパッケージの他の例は、一般に割り当てられた特許文献２に示される。この例において、カバーは、パケットの上に横たわる。カバーは、開放可能なフラップを有し、フラップもまた、パケットを開く。特許文献１のパケットの例と同様に、フラップをカバーの前壁上のスロットの中へ押し込むことによって、フラップは、閉じられる。
【０００７】
チューインガム・パッケージの他の例は、公知である。そしてそれは、分配する開口をカバーするために折り畳み可能なフラップを使用する。
【０００８】
さらに解放可能な閉鎖具メカニズムを提供するチューインガムのような消費可能な製品を収容して、分配するための二重区画パッケージを提供することは、望ましい。
【先行技術文献】
【特許文献】
【０００９】
【特許文献１】米国特許第７，１５９，７１７号明細書
【特許文献２】米国特許第７，５３３，７７３号明細書
【発明の概要】
【課題を解決するための手段】
【００１０】
本発明の実施形態において、パッケージ・アセンブリは、複数の細長い消費可能な製品を収容して、分配するために提供される。パッケージ・ハウジングは、製品を支持するために提供される。パッケージ・ハウジングは、ヒンジによって区分される第１の製品収容区画および第２の製品収容区画を含む。製品収容区画の各々は、ヒンジに隣接して開口端部を有する。製品収容区画は、ヒンジの周りに本のような様式で折り畳み可能である。解放可能な閉鎖具は、各区画に適用されて、ヒンジの周りに区画を閉鎖可能に折り畳むと、即座に、相互の係合のための整列された対面関係になるように配置される。解放可能な閉鎖具は、クリップ、係合するフックとループのファスナ、磁気ファスナ、感圧ラベル、静電気付着フィルム、感圧接着剤、および組み合わされる機械的デバイス、からなる群から選択される。
【図面の簡単な説明】
【００１１】
【図１】図１は、厚板チューインガムを収容するための本発明のパッケージの一実施形態の開放状態を示す斜視図である。
【図２】図２は、図１のパッケージの閉鎖状態を示す斜視図である。
【図３】図３は、本発明によるパッケージ用の解放可能な閉鎖具および／または解放可能な閉鎖具デバイスの実施形態を示す。
【図４】図４は、本発明によるパッケージ用の解放可能な閉鎖具および／または解放可能な閉鎖具デバイスの実施形態を示す。
【図５】図５は、本発明によるパッケージ用の解放可能な閉鎖具および／または解放可能な閉鎖具デバイスの実施形態を示す。
【図６】図６は、本発明によるパッケージ用の解放可能な閉鎖具および／または解放可能な閉鎖具デバイスの実施形態を示す。
【図７】図７は、本発明によるパッケージ用の解放可能な閉鎖具および／または解放可能な閉鎖具デバイスの実施形態を示す。
【図８】図８は、本発明によるパッケージ用の解放可能な閉鎖具および／または解放可能な閉鎖具デバイスの実施形態を示す。
【図９】図９は、本発明によるパッケージ用の解放可能な閉鎖具および／または解放可能な閉鎖具デバイスの実施形態を示す。
【図１０】図１０は、本発明によるパッケージ用の解放可能な閉鎖具および／または解放可能な閉鎖具デバイスの実施形態を示す。
【図１１】図１１は、本発明によるパッケージ用の解放可能な閉鎖具および／または解放可能な閉鎖具デバイスの実施形態を示す。
【図１２】図１２は、本発明によるパッケージ用の解放可能な閉鎖具および／または解放可能な閉鎖具デバイスの実施形態を示す。
【図１３】図１３は、本発明によるパッケージ用の解放可能な閉鎖具および／または解放可能な閉鎖具デバイスの実施形態を示す。
【発明を実施するための形態】
【００１２】
本発明は、包装のための解放可能な閉鎖具を提供する。解放可能な閉鎖具は、パッケージの再開き可能な閉鎖具を許容するために用いてよいと考えられる。その広い態様において、本発明は、閉じるパッケージの２つの区画を保持するために閉鎖具デバイスを使用する。これらのパッケージ構成部品が開かれるときに、それらは、パッケージの内容へのアクセスを提供する。
【００１３】
本明細書全体で用いるように、用語「解放可能な閉鎖具」または「解放可能な閉鎖具デバイス」は、多種多様な機構および／または材料に関連してよく、そしてそれは、共に結合されるときに解放可能なカップリングを形成する。この種の材料および／または機構がパッケージの２つの部分または区画に配置されるときに、それは、それらの部分の解放可能なカップリングを提供する。さまざまな非限定的な実施例は、以下に記載される。
【００１４】
本発明は、１つの態様において、ヒンジ部材の周りに相互に閉鎖可能な２つの製品収容区画または部分を有する製品パッケージに解放可能な閉鎖具を適用するかまたは添付する。
【００１５】
図１、図２は、本発明の一実施形態を示す。ここで示すパッケージは、複数の消費可能な製品を収容して、分配するための手で持てるポケットサイズのパッケージである。本実施形態において、製品は、それ全体を個々に包む包装紙を有してよい厚板チューインガムを含んでよい。パッケージは、ヒンジ部材のいずれの側の周りにもパッケージが開閉されてよい本のような構成の一対の区画を含む。パッケージは、ヒンジ部材の一側または両側上の区画に添付されるかまたは適用される解放可能な閉鎖具を用いることによって、閉鎖位置において解放可能に維持される。
【００１６】
パッケージ１０は、パッケージの内容物を環境的にシールするために、外装（図示せず）を備えてもよい。必要に応じて、外装は、開封用のストリップを使用してよい。
【００１７】
パッケージ１０は、パッケージ・ハウジング１１を含み、そして通常、平坦なブランクから折り畳まれる板紙材料で形成される。板紙が好ましい材料であるとはいえ、他の周知の材料およびそれらの組み合わせも、使用されてよい。この種の材料は、板紙、ボール紙、積層体、箔およびそれらの組み合わせを含んでよい。本発明のパッケージ１０は、単一の平坦な板紙ブランクまたは互いに固着される一対の板紙ブランクから形成されてよい。
【００１８】
１または複数の板紙ブランクは、一対の区画１２、１４を形成するために図１に示す構成に配置される。区画１２、１４の各々は、製品収容ポケット１６、１８をそれぞれ形成する。ポケット１６、１８は、複数の厚板チューインガム２０を左右に並ぶ直立した配列に支持する。厚板チューインガムのこの種の配列が示すとはいえ、ポケット内における厚板チューインガムの他の配列は、考えられる。また、厚板チューインガムは、剥離可能な接着剤または他の手段によってポケット内に取り外し可能に保持されてよい。この種の剥離可能な接着剤の例は、ポケット１６、１８の内側に適用されてよい低温のホットメルト接着剤である。ポケット１６、１８の各々は、それぞれの背面壁２２、２４およびそれぞれの前面壁２６、２８によって定義される。背面壁は、支持する厚板チューインガムの全体にわたって完全に上方に延びる一方、前面壁は、厚板チューインガム２０への分配アクセスを提供するための開口端部３０、３２をそれぞれ提供するために、部分的にのみ上方に延びる。端壁３２、３４および、それぞれの側壁３６、３８および４０、４２は、開いた端縁のポケット１６、１８を結合する。区画１２、１４の背面壁２２、２４の各々は、上方へ延びる縁部５０、５２を有する。特に図１、図２に示すように、縁部５０、５２は、重ねられてよく、そして、組み立てられたパッケージ・ハウジング１１を形成するために別々のブランクによって区画が形成される状況において、一緒に固定されてよい。図１に示すように、開放状態で、パケット１６、１８の開口端部３０、３２は、好ましくは対面関係にある。
【００１９】
以下により詳細に述べるように、縁部５０、５２が重複する位置は、図１に示す開放状態から図２に示す閉鎖状態まで本のような様式でパッケージ・ハウジング１１の折り畳み可能な閉鎖を提供するためのヒンジ部材５５を形成する。ヒンジ部材５５は、ヒンジ背５６およびその両側の一対のヒンジ継手５７、５８によって定義される。図１、２から認識されるように、厚板チューインガム２０をアクセス可能にするために、そして、開いたポケット１６、１８から厚板チューインガムを分配するために、パッケージ・ハウジング１１は、ヒンジ部材５５の周りに本のような様式で開かれてよい。開いたポケット１６、１８へのアクセスを防止するために、そして、そこから厚板チューインガム２０の取り除きを防止するために、パッケージ・ハウジング１１は、図２に示すように折り畳み可能に閉鎖位置へと移動してよい。したがって、典型的使用において、消費者は、１つ以上の厚板チューインガムをそこから取り除くことを望むような時になるまで、図２に示すような閉鎖状態にパッケージ・ハウジング１１を維持する。その時、消費者は、パッケージ・ハウジング１１をヒンジ部材５５の周りに図１に示す開放状態まで開く。所望の数の厚板チューインガム２０は、ポケット１６、１８から取り除かれることができる。次いで、消費者は、パッケージ・ハウジング１１を図１に示す状態まで再閉じることができる。パッケージは、消費者の必要によって要求に応じて繰り返し開閉されるように設計される。
【００２０】
本発明のパッケージは、ヒンジの周りに開かれるとはいえ、これらの区画間の他のタイプの開ける運動は、考えられる。他のタイプの構造は、例えば、スライドカバーを含んでよい。
【００２１】
パッケージ・ハウジング１１を閉鎖状態に維持するために、本発明は、区画１２、１４に適用されるかまたは添付される解放可能な閉鎖具を使用する。
【００２２】
本実施形態において、前面壁２６、２８上の位置６０、６２は、解放可能な閉鎖具材料の一般的配置を概略的に表す。パッケージ・ハウジングは、位置６０、６２の係合によって、閉鎖状態において解放可能に保持される。しかしながら、この係合は、パッケージ・ハウジング１１を閉鎖状態に維持すると共に、それが消費者によって容易に解放されることができて、そして、パッケージ・ハウジングが閉鎖状態から開放状態まで関節でつながれることができるようなものである。これは、パッケージの反復開閉を可能にする。閉鎖具は、それが容易に開かれてよいと共に、それが重力の下で閉鎖を維持するようなものである。
【００２３】
解放可能な閉鎖具または解放可能な閉鎖具デバイスの非限定的な実施例は、本明細書において記載される。加えて、解放可能な閉鎖具の１つの例は、上記の組み込まれた仮出願において、および２０１１年９月３０日に出願されたＰＣＴ国際出願番号ＰＣＴ／ＵＳ２０１１／０５４１１９（それは、すべての目的のために参照により本明細書に組み込まれる）において、図示されそして記載される。下記の実施形態の各々は、上で図示され記載されたものと実質的に類似のパッケージ上に使用される。したがって、類似の参照番号は、類似の要素を意味するために用いる。
【００２４】
図３、図４を目下参照すると、本発明の解放可能な閉鎖具デバイスの１つの実施形態は、記載されている。パッケージ１１０は、開放位置と閉鎖位置との間の折り畳み可能な運動のためのヒンジ部材１５５によって連結される一対の製品収容区画１１２、１１４を含む。区画１１２、１１４を、特に図４に示すように閉鎖位置に維持するために、プラスチック・クリップ１６０は、使用される。プラスチック・クリップ１６０は、区画１１２の背面１１２ａに接着固定するための部材１６２を含む。Ｕ形状のクリップ部１６６は、一体ヒンジ１６４で部材１６２に結合している。クリップがその解放可能な閉鎖を提供するために閉じた区画１１２、１１４の上部エッジに跨がって操作されることができるように、クリップ部１６６は、一体ヒンジ１６４の周りに蝶番式に移動可能である。クリップ部の大きさは、それが区画との摩擦係合を提供するようなものであると考えられる。クリップ部が図３に示すように配置されるときに、区画は、開かれることができる。クリップ部は、区画を閉めるために図４に示す位置へ移動することができる。クリップは、パッケージの反復開閉を提供するように着脱可能である。
【００２５】
図５を目下参照すると、パッケージ２１０は、示す。パッケージ２１０は、開放位置と閉鎖位置との間の折り畳み可能な運動のためのヒンジ部材２５５によって区分される一対の製品収容区画２１２、２１４を含む。図５に示す閉鎖具は、商標ベルクロ（登録商標）の下で販売されるタイプのものでよいフックとループのファスナを含む。この種の一方のファスナ２６０は、区画２１２の前面壁２２６に適用される。他方のファスナ２６２は、区画２１４の前面壁２２８に適用される。ファスナ２６０、２６２は、相互に対向して整列されるように配置される。区画２１２、２１４がヒンジ２５５の周りに閉じられるときに、ファスナ２６０、２６２は、パッケージ２１０を開放可能に閉鎖位置に維持するように係合する。
【００２６】
図６を目下参照すると、パッケージ３１０は、示す。パッケージ３１０は、開放位置と閉鎖位置との間の折り畳み可能な運動のためのヒンジ部材３５５によって区分される一対の製品収容区画３１２、３１４を含む。図６に示す閉鎖具は、パッケージ３１０の再開き可能な閉鎖具を遂行するために、磁気ファスナを含む。磁気ファスナは、磁石、磁性材料または磁化可能材料を含むタイプのものでよい。磁気ファスナは、磁気吸引材料と組み合わされて２つの相互に係合可能な磁性材料または磁石を含んでよいと考えられる。
【００２７】
この種の一方の磁気デバイス３６０は、区画３１２の前面壁３２６に適用される。デバイス３６０に吸引される他方の磁気デバイス３６２は、相互に整列される前面壁に適用される。区画３１２、３１４がヒンジ３５５の周りに閉じられるときに、磁気デバイス３６０、３６２は、パッケージ３１０を開放可能に閉鎖位置に維持するように係合する。
【００２８】
図７に目下戻ると、パッケージ４１０は、示す。パッケージ４１０は、開放位置と閉鎖位置との間の折り畳み可能な運動のためのヒンジ部材４５５によって区分される一対の製品収容区画４１２、４１４を含む。図７に示す閉鎖具は、感圧ラベルを含む。感圧ラベルは、取り外し可能に共同係合可能なタイプの感圧接着剤をその上に含む。したがって、この種の一方のラベル４６０は、区画４１２の前面壁４２６に適用される。他方のラベル４６２は、区画４１４の前面壁４２８に適用される。ラベルは、相互に対向して整列されるように配置される。区画４１２、４１４がヒンジ４５５の周りに閉じられるときに、ラベル４６０、４６２は、パッケージを開放可能に閉鎖位置に維持するように係合する。
【００２９】
図８は、本発明によるパッケージ５１０のさらなる実施形態を示す。パッケージ５１０は、開放位置と閉鎖位置との間の折り畳み可能な運動のためのヒンジ部材５５５によって区分される一対の製品収容区画５１２、５１４を含む。図８に示すように、閉鎖具は、静摩擦により相互に係合可能な静電気付着フィルムによって提供される。この種の一方のフィルム５６０は、区画５１２の前面壁５２６に適用される。他方のフィルム５６２は、区画５１４の前面壁５２８に適用される。静電気付着フィルム５６０、５６２は、相互に対向して整列されるように配置される。区画５１２、５１４がヒンジ５５５の周りに閉じられるときに、静電気付着フィルム５６０、５６２は、パッケージを開放可能に閉鎖位置に維持するように係合する。
【００３０】
図９は、本発明により作られるパッケージ６１０を示す。パッケージ６１０は、開放位置と閉鎖位置との間の折り畳み可能な運動のためのヒンジ部材６５５によって区分される一対の製品収容区画６１２、６１４を含む。ここに示す閉鎖具は、パッケージに適用され、そしてさまざまな表面に取り外し可能に取り付け可能な感圧接着剤を含む。本実施形態において、感圧接着剤は、区画６１２の前面壁６２６上の位置６６０で適用される。感圧接着剤の位置６６０は、区画６１４の前面壁６２８によって定義される位置６６２によって、取り外し可能に係合可能である。したがって、区画６１４が区画６１２の上に閉じられるときに、感圧接着剤の位置６６０は、パッケージ６１０の解放可能な閉鎖具を提供する。感圧接着剤の位置は、多種多様な構成において設けられてよい。
【００３１】
図１０〜図１３は、解放可能な閉鎖具として使用されてよいさまざまな組み合わされる機械的デバイスを示す。これらのデバイスは、概して、それらの間で着脱可能な接続を提供するために組み合わされるかまたは連結する２つの構成要素を含む。一方の構成要素は、一方の区画の前面壁に配置され、他方の組み合わされる構成要素は、他方の区画の前面壁に配置される。
【００３２】
図１０を目下参照すると、本発明のパッケージ７１０は、示す。パッケージ７１０は、開放位置と閉鎖位置との間の折り畳み可能な運動のためのヒンジ部材７５５によって区分される一対の製品収容区画７１２、７１４を含む。図１０に示す閉鎖具は、再封可能なバッグで見られるのと類似の一般に従来構造のジッパータイプまたは「ジップ・ロック」閉鎖具を含む。周知のように、ジップ・ロックファスナは、受け入れ部材に挿入可能な延在部材を含む。この種の一方のジップ・ロック部材７６０は、区画７１２の前面壁７２６に適用される。他方のジップ・ロック部材７６２は、区画７１４の前面壁７２８に適用される。ジップ・ロックファスナは、相互に対向して整列されるように配置される。したがって、区画７１２、７１４がヒンジ７５５の周りに閉じられるときに、ファスナ７６０、７６２は、パッケージ７１０を開放可能に閉鎖位置に維持するように係合する。閉じたパッケージの縁部に沿ったスライドする圧力は、閉鎖具の「ロック」を遂行するために用いてよい。
【００３３】
図１１を目下参照すると、本発明のさらなる実施形態は、示す。パッケージ８１０は、開放位置と閉鎖位置との間の折り畳み可能な運動のためのヒンジ部材８５５によって区分される一対の製品収容区画８１２、８１４を含む。図１１に示す閉鎖具は、ラッチとレセプタクルと言われるタイプのものである。閉鎖具は、突起部８６２ａを有するラッチ８６２と、突起部８６２ａを受け入れるレセプタクル８６０とを含む。例えば、レセプタクル８６０は、区画８１２の前面壁８２６に適用される、ラッチ８６２は、区画８１４の前面壁８２８に適用される。区画８１２、８１４は、ヒンジ８５５の周りに閉じられる。ラッチ８６２の突起部８６２ａは、レセプタクル８１６に挿入されて、そこから解放できるような様式で摩擦的にそこに保持される。これは、パッケージ８１０の解放可能な閉鎖具を提供する。
【００３４】
図１２、図１３を目下参照すると、タブ様の閉鎖具の２つの実施形態は、示す。
【００３５】
図１２は、開放位置と閉鎖位置との間の折り畳み可能な運動のためのヒンジ部材９５５によって区分される一対の区画９１２、９１４を有するパッケージ９１０を示す。ここで使用される閉鎖具デバイスは、タブとレセプタクル閉鎖具である。図１２の実施形態において、パッケージ９１０を形成する板紙ブランクから形成される中央に位置する延出するタブ９６２は、区画９１４の遠位縁９２８ａに沿って区画９１４の前面壁９２８から外方へ垂直に伸びる。受け入れ開口９６０は、区画９１２の遠位縁９２６ａに隣接した位置で区画９１２の前面壁９２６上に形成される。図１２に示す実施形態では、中央に位置するレセプタクル９６０に受け入れられるために、単一のタブ９６２は、中央に位置する。タブ９６２は、レセプタクル９６０に摩擦係合で受け入れられる。区画９１２、９１４がヒンジ９５５の周りに閉じられるときに、タブ９６２は、レセプタクル９６０に入って、解放可能な摩擦係合でそこに保持され、それによりパッケージ９１０を開放可能に閉鎖位置に維持する。
【００３６】
図１３は、図１２に示されたものと類似の実施形態を示す。パッケージ９１０’は、開放位置と閉鎖位置との間の折り畳み可能な運動のためのヒンジ部材９５５’の周りに配置される区画９１２’、９１４’を含む。図１３の実施形態では、区画９１４’の縁部９２８ａ’に沿った２つの間隔を隔てたタブ９６２’は、区画９１２’の縁部９２６ａ’に沿って整列配置された一対のレセプタクル９６０’と係合可能である。
【００３７】
上記の実施形態の１つ以上は、解放可能な閉鎖具および／または解放可能な閉鎖具デバイスに関して、さまざまな消費者利点を提供する。例えば、本明細書に記載されている特定の閉鎖具は、片手によってパッケージの開閉を操作する能力を消費者に提供してよい。閉鎖位置から開放位置までパッケージを開く閉鎖メカニズムの解放は、消費者がスライドする仕方で親指を用いるかまたは閉じた区画間に指の爪を用いることによって可能であってよい。
【００３８】
加えて、特定の状況において、そして特定の閉鎖具材料および閉鎖具デバイスを用いて、パッケージの開閉は、ノイズなしである。しかしながら、他の状況において、パッケージが閉じられたことを示すために、閉じた直後に聞き取れるクリック音を提供する本発明による解放可能な閉鎖具を使用することは、望ましくてもよい。
【００３９】
加えて、本発明の解放可能な閉鎖具または閉鎖具デバイスは、パッケージを形成する多種多様な材料と組み合わせて使用されてよい。
【００４０】
上記の１つ以上の閉鎖具は、パッケージ区画上のさまざまな番号をつけられた配置および構成に置かれ得ることがさらに考えられる。また、解放可能な閉鎖具の強度は、特定の閉鎖具、その配置、数および構成に応じて変化することができる。例えば、接着剤の量および接着剤の接着特性は、調整されることができる。使用される磁性材料の磁気的強さは、調整されることができる。解放可能な閉鎖具のサイズ、位置および量は、提供されることができて、さまざまなニーズを満たすように調整されることができる。
【００４１】
［項目］
項目１
複数の細長い消費可能な製品を収容して、分配するためのパッケージ・アセンブリであって、
前記製品を支持するためのパッケージ・ハウジング、
前記パッケージ・ハウジングは、ヒンジによって区分される第１の製品収容区画および第２の製品収容区画を含み、
前記製品収容区画の各々は、前記ヒンジに隣接して開口端部を有し、前記製品収容区画は、前記ヒンジの周りに本のような様式で折り畳み可能であり、および
前記ヒンジの周りに前記区画を閉鎖可能に折り畳むと相互に係合するための対面関係に整列されるように各区画上に配置される解放可能な閉鎖具、を備え、
前記解放可能な閉鎖具は、クリップ、係合するフックとループのファスナ、磁気ファスナ、感圧ラベル、静電気付着フィルム、感圧接着剤、および組み合わされる機械的デバイス、からなる群から選択される、
パッケージ・アセンブリ。
【００４２】
項目２
前記製品収容区画の各々は、前記開口端部によって定義される開放領域および閉鎖領域を含み、前記開放領域は、前記閉鎖領域よりも大きい、項目１に記載のパッケージ・アセンブリ。
【００４３】
項目３
前記閉鎖領域は、前面壁によって定義される、項目２に記載のパッケージ・アセンブリ。
【００４４】
項目４
前記前面壁は、前記解放可能な閉鎖具を含む、項目３に記載のパッケージ・アセンブリ。
【００４５】
項目５
前記クリップは、前記製品収容区画のうちの１つに接着剤で固定され、前記クリップは、ヒンジおよび、前記パッケージ・ハウジングの前記解放可能な閉鎖具を提供するための他の前記製品収容区画に着脱可能に取り付け可能な部分を有する、項目１〜４に記載のパッケージ・アセンブリ。
【００４６】
項目６
前記係合するフックとループのファスナは、１つの前記区画上に配置される前記フックファスナ、および他の前記区画上に配置される前記ループファスナを含む、項目１〜４に記載のパッケージ・アセンブリ。
【００４７】
項目７
前記磁気ファスナは、前記区画に別々に適用されて、相互に吸引可能である、項目１〜４に記載のパッケージ・アセンブリ。
【００４８】
項目８
前記感圧ラベルは、前記区画に別々に適用される、項目１〜４に記載のパッケージ・アセンブリ。
【００４９】
項目９
前記静電気付着フィルムは、前記区画に別々に適用される、項目１〜４に記載のパッケージ・アセンブリ。
【００５０】
項目１０
前記感圧接着剤は、前記区画に別々に適用される、項目１〜４に記載のパッケージ・アセンブリ。
【００５１】
項目１１
前記感圧接着剤は、前記区画の前記前面壁上の選択的な位置に別々に適用される、項目１０に記載のパッケージ・アセンブリ。
【００５２】
項目１２
前記組み合わされる機械的デバイスは、係合するジッパータイプのロックを含む、項目１〜４に記載のパッケージ・アセンブリ。
【００５３】
項目１３
前記ジッパータイプのロックは、１つの前記区画上に適用される延在部材、および他の前記区画上に適用される組み合わされる受け入れ部材を含む、項目１２に記載のパッケージ・アセンブリ。
【００５４】
項目１４
前記組み合わされる機械的デバイスは、係合するラッチとレセプタクルを含み、前記ラッチは、１つの前記区画上に配置され、前記レセプタクルは、他の前記区画上に配置される、項目１〜４に記載のパッケージ・アセンブリ。
【００５５】
項目１５
前記組み合わされる機械的デバイスは、少なくとも１つの係合するタブとレセプタクルを含み、前記タブは、１つの前記区画上に配置され、前記レセプタクルは、他の前記区画上に配置される、項目１〜４に記載のパッケージ・アセンブリ。
【００５６】
前述の記載されたおよび図示された構造のさまざまな変更は、当業者にとっては目下明らかである。したがって、本発明の特に開示された範囲は、以下の請求項に記載される。
【図１】
2013544721.tif 000003
【図２】
2013544721.tif 000004
【図３】
2013544721.tif 000005
【図４】
2013544721.tif 000006
【図５】
2013544721.tif 000007
【図６】
2013544721.tif 000008
【図７】
2013544721.tif 000009
【図８】
2013544721.tif 000010
【図９】
2013544721.tif 000011
【図１０】
2013544721.tif 000012
【図１１】
2013544721.tif 000013
【図１２】
2013544721.tif 000014
【図１３】
2013544721.tif 000015
【国際調査報告】
2013544721.tif 000016
2013544721.tif 000017
2013544721.tif 000018
2013544721.tif 000019
2013544721.tif 000020